(57)【要約】【課題】  重要通信での通信不都合の発生の問題を改善することが可能な移動通信システムを提供する。【解決手段】  位置管理サーバ３は所定時間間隔で測位された位置情報を携帯通信端末１より随時取得して端末位置データベース３１に格納する。弱電波地帯管理サーバ４は弱電波地帯、不感地帯、あるいは障害等によって通信状況が悪化している地域に関する情報を随時取得して弱電波地帯データベース４１に格納する。情報サーバ５の制御部５３は通信可能な携帯通信端末１の位置情報を位置管理サーバ３から取得する。制御部５３は取得した携帯通信端末１の位置情報に基づいて、その位置情報を中心とした周辺の弱電波地帯等の情報を弱電波地帯管理サーバ４から取得し、携帯通信端末１の進行方向を地図情報等を参照して決定し、進行先に通信状況が悪化している地域等があるか否かを判定する。【選択図】      図１
2006217095.tif 000002
【特許請求の範囲】
【請求項１】
通信状況が悪い地域の情報が予め登録されているデータベースと、
自端末の位置を検出する位置検出手段と、前記位置検出手段にて求めた位置情報と前記データベースから入手した情報とから前記通信状況が悪い地域までの距離を求める手段と、その求めた距離が予め設定された所定距離以内である場合に警告情報を表示する手段とを含む携帯通信端末とからなることを特徴とする移動通信システム。
【請求項２】
自端末の位置を検出して送信する携帯通信端末を含む移動通信システムであって、
通信状況が悪い地域の情報が予め登録されているデータベースと、
前記携帯通信端末からの位置情報と前記データベースからの情報とから前記携帯通信端末から前記通信状況が悪い地域までの距離を求める手段と、その求めた距離が予め設定された所定距離以内である場合に警告情報を前記携帯通信端末に通知する手段とを含む情報サーバとからなることを特徴とする移動通信システム。
【請求項３】
前記通信状況が悪い地域は、受信電波が弱い弱電波地帯と、通信が困難な不感地帯と、少なくとも障害によって通信状況が悪化している地域とのうちの少なくとも一つであることを特徴とする請求項１または請求項２記載の移動通信システム。
【請求項４】
前記携帯通信端末の位置をＧＰＳ（Ｇｌｏｂａｌ  Ｐｏｓｉｔｉｏｎｉｎｇ  Ｓｙｓｔｅｍ）にて検出することを特徴とする請求項１から請求項３のいずれか記載の移動通信システム。
【請求項５】
前記携帯通信端末の位置を前記携帯通信端末の通信先の無線基地局を中心とした位置による位置測位及び前記携帯通信端末と周辺の無線基地局との通信による位置測位のいずれかにて検出することを特徴とする請求項１から請求項３のいずれか記載の移動通信システム。
【請求項６】
前記データベースは、予め測定された前記通信状況が悪い地域の情報を蓄積することを特徴とする請求項１から請求項５のいずれか記載の移動通信システム。
【請求項７】
前記携帯通信端末は、発呼操作の際に前記通信状況が悪化している地域への接近を判定することを特徴とする請求項１から請求項６のいずれか記載の移動通信システム。
【請求項８】
前記携帯通信端末は、少なくとも２以上の移動通信方式に対応していることを特徴とする請求項１から請求項７のいずれか記載の移動通信システム。
【請求項９】
自端末の位置を検出する位置検出手段と、前記位置検出手段にて求めた位置情報と通信状況が悪い地域の情報が予め登録されているデータベースから入手した情報とから前記通信状況が悪い地域までの距離を求める手段と、その求めた距離が予め設定された所定距離以内である場合に警告情報を表示する手段とを有することを特徴とする携帯通信端末。
【請求項１０】
前記通信状況が悪い地域は、受信電波が弱い弱電波地帯と、通信が困難な不感地帯と、少なくとも障害によって通信状況が悪化している地域とのうちの少なくとも一つであることを特徴とする請求項９記載の携帯通信端末。
【請求項１１】
自端末の位置をＧＰＳ（Ｇｌｏｂａｌ  Ｐｏｓｉｔｉｏｎｉｎｇ  Ｓｙｓｔｅｍ）にて検出することを特徴とする請求項９または請求項１０記載の携帯通信端末。
【請求項１２】
自端末の位置を前記携帯通信端末の通信先の無線基地局を中心とした位置による位置測位及び前記携帯通信端末と周辺の無線基地局との通信による位置測位のいずれかにて検出することを特徴とする請求項９から請求項１１のいずれか記載の携帯通信端末。
【請求項１３】
前記データベースは、予め測定された前記通信状況が悪い地域の情報を蓄積することを特徴とする請求項９から請求項１２のいずれか記載の携帯通信端末。
【請求項１４】
発呼操作の際に前記通信状況が悪化している地域への接近を判定することを特徴とする請求項９から請求項１３のいずれか記載の携帯通信端末。
【請求項１５】
少なくとも２以上の移動通信方式に対応していることを特徴とする請求項９から請求項１４のいずれか記載の携帯通信端末。
【請求項１６】
自端末の位置を検出して送信する携帯通信端末を含む移動通信システムに用いられる情報サーバであって、
前記携帯通信端末からの位置情報と通信状況が悪い地域の情報が予め登録されているデータベースからの情報とから前記携帯通信端末から前記通信状況が悪い地域までの距離を求める手段と、その求めた距離が予め設定された所定距離以内である場合に警告情報を前記携帯通信端末に通知する手段とを有することを特徴とする情報サーバ。
【請求項１７】
前記通信状況が悪い地域は、受信電波が弱い弱電波地帯と、通信が困難な不感地帯と、少なくとも障害によって通信状況が悪化している地域とのうちの少なくとも一つであることを特徴とする請求項１６記載の情報サーバ。
【請求項１８】
前記携帯通信端末の位置をＧＰＳ（Ｇｌｏｂａｌ  Ｐｏｓｉｔｉｏｎｉｎｇ  Ｓｙｓｔｅｍ）にて検出することを特徴とする請求項１６または請求項１７記載の情報サーバ。
【請求項１９】
前記携帯通信端末の位置を前記携帯通信端末の通信先の無線基地局を中心とした位置による位置測位及び前記携帯通信端末と周辺の無線基地局との通信による位置測位のいずれかにて検出することを特徴とする請求項１６から請求項１８のいずれか記載の情報サーバ。
【請求項２０】
前記データベースは、予め測定された前記通信状況が悪い地域の情報を蓄積することを特徴とする請求項１６から請求項１９のいずれか記載の情報サーバ。
【請求項２１】
前記携帯通信端末にて発呼操作が行われる際に前記通信状況が悪化している地域への接近を判定することを特徴とする請求項１６から請求項２０のいずれか記載の情報サーバ。
【請求項２２】
前記携帯通信端末は、少なくとも２以上の移動通信方式に対応していることを特徴とする請求項１６から請求項２１のいずれか記載の情報サーバ。
【請求項２３】
携帯通信端末が、自端末の位置を検出する処理と、その検出にて求めた位置情報と通信状況が悪い地域の情報が予め登録されているデータベースから入手した情報とから前記通信状況が悪い地域までの距離を求める処理と、その求めた距離が予め設定された所定距離以内である場合に警告情報を表示する処理とを実行することを特徴とする感度悪化通知方法。
【請求項２４】
自端末の位置を検出して送信する携帯通信端末を含む移動通信システムに用いられる感度悪化通知方法であって、
情報サーバが、前記携帯通信端末からの位置情報と通信状況が悪い地域の情報が予め登録されているデータベースからの情報とから前記携帯通信端末から前記通信状況が悪い地域までの距離を求める処理と、その求めた距離が予め設定された所定距離以内である場合に警告情報を前記携帯通信端末に通知する処理とを実行することを特徴とする感度悪化通知方法。
【請求項２５】
前記通信状況が悪い地域は、受信電波が弱い弱電波地帯と、通信が困難な不感地帯と、少なくとも障害によって通信状況が悪化している地域とのうちの少なくとも一つであることを特徴とする請求項２３または請求項２４記載の感度悪化通知方法。
【請求項２６】
前記携帯通信端末の位置をＧＰＳ（Ｇｌｏｂａｌ  Ｐｏｓｉｔｉｏｎｉｎｇ  Ｓｙｓｔｅｍ）にて検出することを特徴とする請求項２３から請求項２５のいずれか記載の感度悪化通知方法。
【請求項２７】
前記携帯通信端末の位置を前記携帯通信端末の通信先の無線基地局を中心とした位置による位置測位及び前記携帯通信端末と周辺の無線基地局との通信による位置測位のいずれかにて検出することを特徴とする請求項２３から請求項２５のいずれか記載の感度悪化通知方法。
【請求項２８】
前記データベースが、予め測定された前記通信状況が悪い地域の情報を蓄積することを特徴とする請求項２３から請求項２７のいずれか記載の感度悪化通知方法。
【請求項２９】
前記携帯通信端末が、発呼操作の際に前記通信状況が悪化している地域への接近を判定することを特徴とする請求項２３から請求項２８のいずれか記載の感度悪化通知方法。
【請求項３０】
前記携帯通信端末が、少なくとも２以上の移動通信方式に対応していることを特徴とする請求項２３から請求項２９のいずれか記載の感度悪化通知方法。
【請求項３１】
携帯通信端末のコンピュータに、自端末の位置を検出する処理と、その検出にて求めた位置情報と通信状況が悪い地域の情報が予め登録されているデータベースから入手した情報とから前記通信状況が悪い地域までの距離を求める処理と、その求めた距離が予め設定された所定距離以内である場合に警告情報を表示する処理とを実行させるためのプログラム。
【請求項３２】
自端末の位置を検出して送信する携帯通信端末を含む移動通信システムに用いられる感度悪化通知方法のプログラムであって、
情報サーバのコンピュータに、前記携帯通信端末からの位置情報と通信状況が悪い地域の情報が予め登録されているデータベースからの情報とから前記携帯通信端末から前記通信状況が悪い地域までの距離を求める処理と、その求めた距離が予め設定された所定距離以内である場合に警告情報を前記携帯通信端末に通知する処理とを実行させるためのプログラム。
【発明の詳細な説明】
【技術分野】
【０００１】
本発明は移動通信システム、携帯通信端末、情報サーバ及びそれらに用いる感度悪化通知方法並びにそのプログラムに関し、特に携帯通信端末における感度悪化の通知方法に関する。
【背景技術】
【０００２】
従来、移動通信システムに用いられる携帯通信端末においては、自端末における受信感度が規定値以下になると、警告音が配信されるようになっており、それによって携帯通信端末の使用者は通話しにくくなることを知ることができる。
【０００３】
上記の感度悪化の通知方法では、重要な通信［通話（会話）、電子メール等）を自端末と無線基地局との間で実施していた場合、携帯通信端末の使用者が、弱電界警告音が鳴動して初めて、受信できる電波が弱い弱電波地帯、地下街やトンネル、及び高層ビルの上層階等の受信レベルが低いあるいは通信が困難な不感地帯、障害等によって通信状況が悪化している地域（エリア）等に入ったことを知ることになる。
【０００４】
尚、上記の感度悪化の通知方法としては、現在位置に基づいて携帯電話の所定時間後の位置を推定し、その位置における無線通信状況を通信状況データを参照して予測し、その予測結果に基づいて通信の切断に対する対策処理（例えば、自動終了等）を行う方法が提案されている（例えば、特許文献１参照）。
【０００５】
【特許文献１】特開２００４−２２８８５１号公報
【発明の開示】
【発明が解決しようとする課題】
【０００６】
したがって、上述した従来の感度悪化通知方法では、きわめて小さい不感地帯、弱電界地帯等であれば大きな問題にはならないが、比較的大きな電波不具合地域だと、通信に支障をきたすので、心の準備がないままに、例えば重要な話が途中で切れてしまったり、通信が上手くできなかったりという問題がある。同様に、上記の特許文献１でも、通信状況が悪い地帯にはいる手前で、あるいは通信状況が悪い地帯にはいると自動終了されてしまう。
【０００７】
そこで、本発明の目的は上記の問題点を解消し、重要通信での通信不都合の発生の問題を改善することができる移動通信システム、携帯通信端末、情報サーバ及びそれらに用いる感度悪化通知方法並びにそのプログラムを提供することにある。
【課題を解決するための手段】
【０００８】
本発明による移動通信システムは、通信状況が悪い地域の情報が予め登録されているデータベースと、
自端末の位置を検出する位置検出手段と、前記位置検出手段にて求めた位置情報と前記データベースから入手した情報とから前記通信状況が悪い地域までの距離を求める手段と、その求めた距離が予め設定された所定距離以内である場合に警告情報を表示する手段とを含む携帯通信端末とからなっている。
【０００９】
本発明による他の移動通信システムは、自端末の位置を検出して送信する携帯通信端末を含む移動通信システムであって、
通信状況が悪い地域の情報が予め登録されているデータベースと、
前記携帯通信端末からの位置情報と前記データベースからの情報とから前記携帯通信端末から前記通信状況が悪い地域までの距離を求める手段と、その求めた距離が予め設定された所定距離以内である場合に警告情報を前記携帯通信端末に通知する手段とを含む情報サーバとからなっている。
【００１０】
本発明による携帯通信端末は、自端末の位置を検出する位置検出手段と、前記位置検出手段にて求めた位置情報と通信状況が悪い地域の情報が予め登録されているデータベースから入手した情報とから前記通信状況が悪い地域までの距離を求める手段と、その求めた距離が予め設定された所定距離以内である場合に警告情報を表示する手段とを備えている。
【００１１】
本発明による情報サーバは、自端末の位置を検出して送信する携帯通信端末を含む移動通信システムに用いられる情報サーバであって、
前記携帯通信端末からの位置情報と通信状況が悪い地域の情報が予め登録されているデータベースからの情報とから前記携帯通信端末から前記通信状況が悪い地域までの距離を求める手段と、その求めた距離が予め設定された所定距離以内である場合に警告情報を前記携帯通信端末に通知する手段とを備えている。
【００１２】
本発明による感度悪化通知方法は、携帯通信端末が、自端末の位置を検出する処理と、その検出にて求めた位置情報と通信状況が悪い地域の情報が予め登録されているデータベースから入手した情報とから前記通信状況が悪い地域までの距離を求める処理と、その求めた距離が予め設定された所定距離以内である場合に警告情報を表示する処理とを実行している。
【００１３】
本発明による他の感度悪化通知方法は、自端末の位置を検出して送信する携帯通信端末を含む移動通信システムに用いられる感度悪化通知方法であって、
情報サーバが、前記携帯通信端末からの位置情報と通信状況が悪い地域の情報が予め登録されているデータベースからの情報とから前記携帯通信端末から前記通信状況が悪い地域までの距離を求める処理と、その求めた距離が予め設定された所定距離以内である場合に警告情報を前記携帯通信端末に通知する処理とを実行している。
【００１４】
本発明による感度悪化通知方法のプログラムは、携帯通信端末のコンピュータに、自端末の位置を検出する処理と、その検出にて求めた位置情報と通信状況が悪い地域の情報が予め登録されているデータベースから入手した情報とから前記通信状況が悪い地域までの距離を求める処理と、その求めた距離が予め設定された所定距離以内である場合に警告情報を表示する処理とを実行させている。
【００１５】
本発明による他の感度悪化通知方法のプログラムは、自端末の位置を検出して送信する携帯通信端末を含む移動通信システムに用いられる感度悪化通知方法のプログラムであって、
情報サーバのコンピュータに、前記携帯通信端末からの位置情報と通信状況が悪い地域の情報が予め登録されているデータベースからの情報とから前記携帯通信端末から前記通信状況が悪い地域までの距離を求める処理と、その求めた距離が予め設定された所定距離以内である場合に警告情報を前記携帯通信端末に通知する処理とを実行させている。
【００１６】
すなわち、本発明の移動通信システムは、携帯通信端末の位置情報を把握可能な業務用無線通信システムにおいて、弱電波地帯、不感地帯、あるいは障害等によって通信状況が悪化している地域（エリア）への接近に際し、通信状況を事前に連絡するサービスを提供することにある。
【００１７】
これによって、本発明の移動通信システムは、ある程度前に通信に支障発生することがわかるので、重要通信での通信不都合の発生の問題を改善することが可能となる。
【発明の効果】
【００１８】
本発明は、以下に述べるような構成及び動作とすることで、重要通信での通信不都合の発生の問題を改善することができるという効果が得られる。
【発明を実施するための最良の形態】
【００１９】
次に、本発明の実施例について図面を参照して説明する。図１は本発明の一実施例による移動通信システムの構成を示すブロック図である。図１において、本発明の一実施例による移動通信システムは、無線通信可能な携帯通信端末１と、携帯通信端末１との間で通信可能な無線基地局２と、無線通信可能な携帯通信端末１の位置情報を登録可能な位置管理サーバ３と、予め規定された電波の弱い場所を記憶する弱電波地帯管理サーバ４と、通信可能な携帯通信端末１に電場の弱い場所の情報を提供する情報サーバ５と、無線基地局２と位置管理サーバ３と弱電波地帯管理サーバ４と情報サーバ５とがそれぞれ接続する通信ネットワーク１００とから構成されている。
【００２０】
位置管理サーバ３は携帯通信端末１の位置情報を管理（追跡管理）するワークステーション・サーバ等の情報処理装置であって、端末位置データベース（ＤＢ）３１に通信ネットワーク１００を介して取得した携帯通信端末１の位置情報を格納する。
【００２１】
弱電波地帯管理サーバ４は携帯通信（携帯通信端末１と無線基地局２との間の通信）において、受信電波が弱い弱電波地帯、地下街やトンネル、及び高層ビルの上層階等の受信レベルが低いあるいは通信が困難な不感地帯、あるいは障害等によって通信状況が悪化している地域（エリア）の情報を管理するワークステーション・サーバ等の情報処理装置であって、図示せぬ通信状況測定（監視）装置によって測定された弱電波地帯、不感地帯、あるいは障害等によって通信状況が悪化している地域（エリア）に関する情報を弱電波地帯データベース（ＤＢ）４１に格納する。
【００２２】
情報サーバ５は位置管理サーバ３から取得した携帯通信端末１の位置情報と、弱電波地帯管理サーバ４から取得した弱電波地帯等の情報とに基づいて、携帯通信端末１が弱電波地帯等へ進入しようとする際に、事前に通信状況の通知を行うワークステーション・サーバ等の情報処理装置である。
【００２３】
また、情報サーバ５は通信ネットワーク１００を介する情報送受［通信インタフェース（Ｉ／Ｆ）］を行うネットワーク（ＮＷ）通信部５１と、利用者情報として利用者ＩＤ（識別情報）または端末ＩＤ、地図情報、通知条件（通話品質レベル、通知タイミング等を格納する記憶部５２と、位置管理サーバ３から取得した携帯通信端末１の位置情報及び弱電波地帯管理サーバ４から取得した弱電波地帯等の情報から、携帯通信端末１が弱電波地帯等へ進入しようとする場合に、通信状況の通知を行うように制御する制御部５３とを備えている。
【００２４】
上記の携帯通信端末１、無線基地局２、位置管理サーバ３、弱電波地帯管理サーバ４、情報サーバ５はそれぞれプログラム制御によって動作し、無線基地局２と位置管理サーバ３と弱電波地帯管理サーバ４と情報サーバ５とが通信ネットワーク１００を介して相互に接続されている。
【００２５】
また、本実施例では、位置管理サーバ３、弱電波地帯管理サーバ４、情報サーバ５をそれぞれ独立に動作する装置として述べているが、端末位置データベース３１、弱電波地帯データベース４１を情報サーバ５の記憶部５２内に設ける（一体として構成する）ようにしてもよい。
【００２６】
図２は図１の携帯通信端末１の構成を示すブロック図である。図２において、携帯通信端末１は携帯電話機等の通信機能を備えた情報処理装置であって、アンテナ１１と、ＧＰＳ（Ｇｌｏｂａｌ  Ｐｏｓｉｔｉｏｎｉｎｇ  Ｓｙｓｔｅｍ）アンテナ１２と、無線通信部１３と、測位部（ＧＰＳ）１４と、操作部１５と、表示部１６と、音声処理部１７と、スピーカ１８，２０と、マイク１９と、メモリ２１と、制御部２２とから構成されている。
【００２７】
無線通信部１３はアンテナ１１を介して無線基地局２との間で無線信号を送受し、測位部１４は図示せぬＧＰＳ衛星から発信された電波を受信することによって自端末の位置座標を求める。操作部１５は各種情報入力を行うテンキー、スクロール／決定キー等から構成されている。
【００２８】
表示部１６はテキストや画像等の表示情報の出力を行う。音声処理部１７は音声信号処理を行う。スピーカ１８及びマイク１９は音声処理部１７への入出力を行う。スピーカ２０は楽音や報知音等を出力する。メモリ２１は電話帳情報、送受信メール情報、発着呼情報、コンテンツ情報、制御部２２が実行するプログラム等を格納している。制御部２２は電話機能、ｗｅｂ接続機能、メール送受信、測位（ＧＰＳ）機能、及び自端末の各部の制御を行う。
【００２９】
尚、本実施例では、携帯通信端末１の位置情報の取得をＧＰＳ衛星からの信号受信によって行っているが、例えば、通信先の無線基地局２を中心とした位置、あるいは携帯通信端末１と周辺の複数の無線基地局２との通信（電波の強度、到達時間差）による位置測位等であってもよい。
【００３０】
図３は図１の情報サーバ５の動作を示すフローチャートである。これら図１〜図３を参照して本発明の一実施例による移動通信システムの動作について説明する。尚、図３に示す処理は情報サーバ５の制御部５３が記憶部５２に格納されたプログラムを実行することで実現される。
【００３１】
位置管理サーバ３は所定時間間隔で測位された位置情報を携帯通信端末１より随時取得し、あるいは携帯通信端末１と周辺の複数の無線基地局２との通信（電波の強度、到達時間差）に基づいて位置情報をシステム（無線基地局２）から随時取得し、端末位置データベース３１に格納している。
【００３２】
また、弱電波地帯管理サーバ４は携帯通信システム（携帯通信端末１と無線基地局２との間の通信）において、弱電波地帯、不感地帯、あるいは障害等によって通信状況が悪化している地域（エリア）に関する情報を随時取得し、弱電波地帯データベース４１に格納している。
【００３３】
情報サーバ５の制御部５３はサービス開始時に、まず通信可能な携帯通信端末１あるいは利用者が電波の弱い場所の情報を受け取りサービスへ加入している否かの認証（利用者ＩＤ／端末ＩＤの照合）を記憶部５２に格納する利用者情報を参照して行い、携帯通信端末１（または利用者）がサービス加入者である場合には、通信可能な携帯通信端末１の位置情報を位置管理サーバ３から取得する（図３ステップＳ１）。
【００３４】
また、制御部５３は取得した携帯通信端末１の位置情報に基づいて、その位置情報を中心とした周辺の弱電波地帯等の情報を弱電波地帯管理サーバ４から取得する（図３ステップＳ２）。
【００３５】
さらに、制御部５３は位置（追跡）を管理する携帯通信端末１の進行方向を、地図情報（道路、路線等の情報）等を参照して決定し、進行先（進行方向）に、予め設定された通話品質以下の弱電波地帯、不感地帯、障害等によって通信状況が悪化している地域（エリア）等があるか否かを判定する（図３ステップＳ３）。
【００３６】
制御部５３は上記の判定の結果、通知を必要とする場合に、事前の設定（例えば、当該弱電波地帯までの距離）に基づいて電波状況（警報情報）を送信する（図３ステップＳ４〜Ｓ５）。つまり、制御部５３は上記の判定の結果、通信状況が悪化している地域（エリア）等があると判定された時に、携帯通信端末１の現在位置から通信状況が悪化している地域（エリア）等までの距離を求め、その距離が所定距離以内である場合に、電波状況（警報情報）を送信する。
【００３７】
したがって、携帯通信端末１では現在位置から通信状況が悪化している地域（エリア）等までの距離が所定距離以内である場合に電波状況（警報情報）を表示部１６に表示することになる。尚、上記の現在位置から通信状況が悪化している地域（エリア）等までの距離の算出及びその距離が所定距離以内であるか否かの判定は携帯通信端末１で行うようにしてもよい。
【００３８】
このように、本実施例では、携帯通信端末１の移動に伴って通信に支障発生することがある程度前にわかるので、重要通信を事前に中止したり、あるいは現在位置にとどまって重要通信を行ってから移動を開始したりすることができるので、重要通信での通信不都合が発生するという問題を改善することができる。
【００３９】
図４は本発明の他の実施例による携帯通信端末の動作を示すフローチャートであり、図５は本発明の他の実施例による情報サーバの動作を示すフローチャートである。尚、本発明の他の実施例による移動通信システムは図１に示す本発明の一実施例による移動通信システムと同様の構成となっており、本発明の他の実施例による携帯通信端末は図２に示す本発明の一実施例による携帯通信端末１と同様の構成となっている。
【００４０】
以下、図１と図２と図４と図５とを参照して本発明の他の実施例による移動通信システムの動作について説明する。尚、図４に示す処理は携帯通信端末１の制御部２２がメモリ２１に格納されたプログラムを実行することで実現され、図５に示す処理は情報サーバ５の制御部５３が記憶部５２に格納されたプログラムを実行することで実現される。
【００４１】
本発明の一実施例による移動通信システムでは、携帯通信端末１の位置情報をサービス開始以降、常時監視（管理）しているが、本発明の他の実施例による移動通信システムでは、携帯通信端末１による発呼操作の際に、弱電波地帯、不感地帯、あるいは障害等によって通信状況が悪化している地域（エリア）への接近を判定する。
【００４２】
すなわち、携帯通信端末１の制御部２２は利用者による発呼操作の入力を受けると、情報サーバに利用者ＩＤ（または端末ＩＤ）を送信する（図４ステップＳ１１，Ｓ１２）。尚、携帯通信端末１から利用者ＩＤとともに、携帯通信端末１の位置情報を併せて送信するようにしてもよい。
【００４３】
情報サーバ５の制御部５３は携帯通信端末１から利用者ＩＤを受信すると（図５ステップＳ２１）、進行方向に対する電波状況の判定を行い（図５ステップＳ２４〜Ｓ２７）、携帯通信端末１にその結果を通知する（図５ステップＳ２８）。
【００４４】
この場合、制御部５３は上述した本発明の一実施例と同様に、上記の判定の結果、通信状況が悪化している地域（エリア）等があると判定された時に、携帯通信端末１の現在位置から通信状況が悪化している地域（エリア）等までの距離を求め、その距離が所定距離以内である場合に、電波状況（警報情報）を送信する。したがって、携帯通信端末１では現在位置から通信状況が悪化している地域（エリア）等までの距離が所定距離以内である場合に電波状況（警報情報）を表示部１６に表示することになる。
【００４５】
携帯通信端末１は情報サーバ５からの電波状況通知を判定し（図４ステップＳ１３，Ｓ１４）、そのまま発呼処理を継続したり（図４ステップＳ１１５）、あるいは電波状況（通話不可）を出力したりする（図４ステップＳ１６）。
【００４６】
また、携帯通信端末１が少なくとも２以上の通信システムに対応している［例えば、第１無線通信部（ＰＤＣ：Ｐｅｒｓｏｎａｌ  Ｄｉｇｉｔａｌ  Ｃｅｌｌｕｌａｒ）、第２無線通信部（Ｗ−ＣＤＭＡ：Ｗｉｄｅｂａｎｄ−Ｃｏｄｅ  Ｄｉｖｉｓｉｏｎ  Ｍｕｌｔｉｐｌｅ  Ａｃｃｅｓｓ）等を備える］場合、進行方向に対する各々の通信システムの電波状況を判定し、携帯通信端末１はシステムの切替処理を行う。
【００４７】
このように、本実施例では、発呼操作に際し、通信への支障発生に関する情報を事前に取得することができるので、重要通信での通信不都合の発生の問題を改善することができる。また、本実施例では、発呼操作のタイミングでのみ、電波状況を取得（サービス利用）するので、電力消費を抑えることができる。
【図面の簡単な説明】
【００４８】
【図１】本発明の一実施例による移動通信システムの構成を示すブロック図である。
【図２】図１の携帯通信端末１の構成を示すブロック図である。
【図３】図１の情報サーバの動作を示すフローチャートである。
【図４】本発明の他の実施例による携帯通信端末の動作を示すフローチャートである。
【図５】本発明の他の実施例による情報サーバの動作を示すフローチャートである。
【符号の説明】
【００４９】
１  携帯通信端末
２  無線基地局
３  位置管理サーバ
４  弱電波地帯管理サーバ
５  情報サーバ
１１  アンテナ
１２  ＧＰＳアンテナ
１３  無線通信部
１４  測位部
１５  操作部
１６  表示部
１７  音声処理部
１８，２０  スピーカ
１９  マイク
２１  メモリ
２２  制御部
３１  端末位置データベース
４１  弱電波地帯データベース
５１  ネットワーク通信部
５２  記憶部
５３  制御部
１００  通信ネットワーク
【図１】
2006217095.tif 000003
【図２】
2006217095.tif 000004
【図３】
2006217095.tif 000005
【図４】
2006217095.tif 000006
【図５】
2006217095.tif 000007